(57)【要約】      （修正有）【課題】風食のきわめて著しい地域において、接地風速を低減することを目的とした安定重量のある土壌と、高温での保水性に優れたゲル状物質からの給水作用により、酷熱地域における種子の発芽と初期の植生を可能とし、ひいては砂漠緑化を可能とする土嚢の提供。【解決手段】植物破砕物さらには腐葉土及び吸水することによりゲル化して体積を膨張する多糖類のマンナンを植物性繊維からなる土嚢に収容し、これら土嚢を地面に固定する手段を設ける。これによる人手と敷設時間の軽減を図るとともに、種子の発芽と植生に有用な床材の機能を有する吸水性土嚢を提供する。【選択図】  図４
2005058117.tif 000002
【特許請求の範囲】
【請求項１】
土嚢本体と、前記土嚢本体に備えられた外套と、からなる外套付土嚢。
【請求項２】
前記土嚢本体の外袋は、液体透過性の材料である液体透過性材料からなることを特徴とする請求項１に記載の外套付土嚢。
【請求項３】
前記液体透過性材料は、植物性繊維を織ったものである請求項２に記載の外套付土嚢。
【請求項４】
前記液体透過性材料の植物性繊維の織り粗さは、２から４ミリメートルピッチであり植物性繊維の幅は０．５から３ミリメートルである請求項３に記載の外套付土嚢。
【請求項５】
前記土嚢本体の内容物は乾燥した植物の茎などを４センチメートルから５センチメートルの棒状様に切断し、ほぐしたものである請求項１から４の何れか一に記載の外套付土嚢。
【請求項６】
前記土嚢本体の内容物は、さらに腐葉土と化学肥料を加えてなる、請求項５に記載の外套付土嚢。
【請求項７】
前記土嚢本体の内容物には、水を吸収する後では吸収前の体積に比べて体積が増加してゲル化する材料がさらに付加されることを特徴とする、請求項５または請求項６に記載の外套付土嚢。
【請求項８】
前記ゲル化する材料は、高温における保水性に優れている、ことを特徴とする請求項７に記載の外套付土嚢。
【請求項９】
前記ゲル化する材料は多糖類の粉末である、請求項７または請求項８に記載の外套付土嚢。
【請求項１０】
前記多糖類はマンナンであること、を特徴とする請求項７から請求項９に記載の外套付土嚢。
【請求項１１】
前記土嚢本体の内容物は、さらに重量を増すために密度の大きい粉体を加えてなる、請求項７から１０に記載の外套付土嚢。
【請求項１２】
前記密度の大きい粉体は石粉であること、を特徴とする請求項１１に記載の外套付土嚢。
【請求項１３】
前記土嚢本体の形状は、土嚢本体を地面上に設置した際の接地面形状が長方形又は、正方形である請求項１１または請求項１２に記載の外套付土嚢。
【請求項１４】
前記外套は、前記土嚢本体の接地面にて長方形又は、正方形を形成する土嚢本体の各辺の全部又は一部を共有して備えられる請求項１３に記載の外套付土嚢。
【請求項１５】
前記外套は、前記土嚢本体の接地面にて相対する辺を共有する外套が同じ形状であり、さらに土嚢本体の辺と平行な一辺を有することを特徴とする請求項１４に記載の外套付土嚢。
【請求項１６】
前記外套は、長方形又は正方形の形状である請求項１５に記載の外套付土嚢。
【請求項１７】
前記土嚢本体には、土嚢接地面に対して杭を打つための貫通穴が設けられていることを特徴とする請求項１３から１６に記載の外套付土嚢。
【請求項１８】
前記外套には、土嚢接地面に対して杭を打つための貫通穴が設けられていることを特徴とする請求項１３から１７に記載の外套付土嚢。
【請求項１９】
前記外套には、紐を通すための紐穴がもうけられていることを特徴とする請求項１３から１８に記載の外套付土嚢。
【請求項２０】
前記外套には、紐がその一部で固定されていることを特徴とする請求項１３から１９に記載の外套付土嚢。
【発明の詳細な説明】
【技術分野】
【０００１】
本発明は、砂漠緑化を目的とした種苗床用の吸水性土嚢に関するものである。
【０００２】
この土嚢を目的とする砂漠もしくは砂漠周辺地域の地上に設置し、土嚢に水を飽和させた後、土嚢表面に複数個の孔を開け、この孔に砂漠草木植生類の種子や砂漠矮生低木類の種子を埋め込み、その発芽と植生による緑化を行うための種苗床吸水性土嚢を提供するものである。
【背景技術】
【０００３】
砂漠化とは、乾燥地帯、半乾燥地帯、乾燥半湿潤地帯において、気候変化、人類の活動などさまざまな要因に起因して起こる土地の劣化を指す。このような土地における特徴は、酷熱・無水の土地であることのほか、強い風が年間を通じて吹き荒れ、これに伴い地表の砂粒子が飛砂となって風によって運びさられ、地表のあらゆるものを飛砂で埋め尽くしてしまう（このような現象を風食と呼ぶ）ことである。したがって、この風食が砂漠緑化を阻害する大きな要因である
【０００４】
風食は、風速の強弱、乱れの大小などの風の条件と、土壌の種類、土や砂粒子の大小、土壌水分の多少などの土壌条件により、発生の有無や程度が異なる。
【０００５】
風食防止の原則は、まず、接地風速を抑制することであり、次に、土壌の耐風食性を高めることである。
【０００６】
風食を防止する既往の方法としては、敷藁、株残し、輪作、密植、有機物や石灰の補給などの栽培的手段による方法と、防風林、防風垣、防風ネットなどの接地風速の低減を目的とする設備を設ける方法、あるいは土壌改良や灌漑により土壌の耐風食性を高める土木的手段による方法などがある。
【０００７】
また、砂漠緑化の手段としては、地表に植物性繊維からなるネットを張り、これを固定し、その後に種子をまき、植林し、最終的には防風林、防風垣による緑化を行う方法が実用化されている。
【特許文献１】特開２００２−３２６３３４
【発明の開示】
【発明が解決しようとする課題】
【０００８】
本発明の技術的な特徴は、（１）風食のきわめて著しい地域において、接地風速を低減することを目的とした安定重量のある土嚢と、（２）高温での保水性に優れたゲル状物質からの給水作用により、酷熱地域における種子の発芽と初期の植生を可能とし、ひいては砂漠改良を可能とする土嚢、という二点から構成される。
【０００９】
粒子が極めて小さく、かつ接地風速が極めて大きい、いわゆる砂嵐が起こるような地域では、地表にある構造物は吹き飛ばされることが多い。また、構造物の周りでは、特に基礎部において風の流れが速くなったり、渦が形成されたりすることによって深掘れ（洗掘）が起こる。
【００１０】
本発明では、砂漠地帯における接地風速が極めて大きい条件で起きる、この深掘れの現象に注目し、土嚢の周囲に外套を設けることによって、設置した土嚢周辺の土砂層を外套が巻き込む作用により、土嚢の安定重量効果と、土嚢を木製の杭で固定化させる補強力を、さらに補強させようとしたものである。
【００１１】
本発明は、斯かる実情に鑑み、上記の栽培的手段と土木的手段による複合化を図った風食防止対策の手法であって、これによる人手と敷設時間の軽減を図るとともに、種子の発芽と植生に有用な床材の機能を有する吸水性土嚢を提供するものである。
【課題を解決するための手段】
【００１２】
本発明は外套付土嚢にかかるものであって、前記外套付土嚢は、土嚢本体と、前記土嚢本体に備えられた外套と、からなり、前記土嚢本体は、液体透過性の材料である液体透過性材料からなることを特徴し、前記土嚢本体の内容物は稲藁や麦藁、あるいは玉蜀黍・高梁の茎などをほぐして数センチメートルの長さに切断したものに、水を吸収する後では吸収前の体積に比べて体積が増加してゲル化する材料が付加され、前記ゲル化する材料は種子の発芽と初期の植生に耐えるだけの給水を可能とし高温における保水性に優れている、ことを特徴とし、さらに、重量を増すために密度の大きい粉体を加えてなる。
【００１３】
さらに、前記土嚢本体の形状は、土嚢本体を地面上に設置した際の接地面形状が長方形又は、正方形であり、前記土嚢本体の接地面にて長方形又は、正方形を形成する各辺の全部又は一部を共有し、前記外套は、長方形又は正方形の形状であり、この外套は土嚢本体の接地面にて相対する辺を共有する外套が同じ形状である。
【００１４】
さらに、前記土嚢本体には、土嚢接地面に対して杭を打つための貫通穴が設けられており、前記外套には、紐を通すための紐穴がもうけられていることを特徴とする外套付土嚢である。
【００１５】
上記手段によれば、以下のような作用が得られる。
【発明の効果】
【００１６】
本発明の請求項１〜２０記載の外套付土嚢によれば、
【００１７】
（１）砂漠緑化の阻害要因となる風食を防ぐことができる、
【００１８】
（２）また、外套部への深掘れによる砂の巻き込みにより、土嚢を安定設置することができる、
【００１９】
（３）高温で保水性に優れるために、土嚢に播種することにより、砂漠緑化という環境的な効果も奏する、
【００２０】
（４）土嚢中には、高温で保水性に優れる材料だけでなく、腐葉土や化学肥料なども付加することによって、より発芽、植生に優れた土嚢とすることができる、
【００２１】
（５）土嚢は、紐を使って、また、杭や、砂の巻き込みの効果を使うことによって、広範囲の地域にわたって、耐風食性を向上させることができる、
【００２２】
（６）土嚢は、自然の雨水、場合によっては湿気を吸収することができるために、乾燥したのちも再び苗床としての機能を発揮することができる、
という優れた効果を奏し得る。
【発明を実施するための最良の形態】
【００２３】
以下、本発明の実施の形態について、図を用いて説明する。なお、本発明は、これら実
施形態に何ら限定されるべきものではなく、その要旨を逸脱しない範囲において、種々な
る態様で実施し得る。
【００２４】
実施形態1は主に請求項１などに関する。
【００２５】
実施形態２は主に請求項２などに関する。
【００２６】
実施形態３は主に請求項３などに関する。
【００２７】
実施形態４は主に請求項４などに関する。
【００２８】
実施形態５は主に請求項５などに関する。
【００２９】
実施形態６は主に請求項６などに関する。
【００３０】
実施形態７は主に請求項７などに関する。
【００３１】
実施形態８は主に請求項８などに関する。
【００３２】
実施形態９は主に請求項９などに関する。
【００３３】
実施形態１０は主に請求項１０などに関する。
【００３４】
実施形態１1は主に請求項１１などに関する。
【００３５】
実施形態１２は主に請求項１２などに関する。
【００３６】
実施形態１３は主に請求項１３などに関する。
【００３７】
実施形態１４は主に請求項１４などに関する。
【００３８】
実施形態１５は主に請求項１５などに関する。
【００３９】
実施形態１６は主に請求項１６などに関する。
【００４０】
実施形態１７は主に請求項１７などに関する。
【００４１】
実施形態１８は主に請求項１８などに関する。
【００４２】
実施形態１９は主に請求項１９などに関する。
【００４３】
実施形態２０は主に請求項２０などに関する。
【００４４】
≪実施形態１≫
【００４５】
実施形態１は、主に請求項１などに関する。
【００４６】
<実施形態１の構成>
図１は実施形態１の概念図である。図２は外套形状別の外套付同の概念図である。
【００４７】
<概念>
【００４８】
本発明における土嚢は、砂漠もしくは砂漠周辺地域の地上に設置し、土嚢に水を飽和させた後、土嚢表面に単数又は、複数個の孔をあけ、この孔に砂漠草木植生類の種子や砂漠矮生低木類の種子を埋め込み、その発芽と植生による緑化を行うための土嚢である。また、前記孔に小さな苗を植え、又は、小さな草木を植え、成長させ、緑化を行うための土嚢である。
【００４９】
<全体構成>
【００５０】
実施形態１は外套付土嚢０１０３であって、土嚢本体０１０１と、外套０１０２と、からなる。
【００５１】
<実施形態１の構成の説明>
【００５２】
「外套付土嚢」は、土嚢本体と外套と、からなる。外套は前記土嚢本体に備えられる。
【００５３】
「土嚢本体」は、外套が備えられた土嚢である。この土嚢本体は、土嚢本体の外袋を通じて外部より液体を吸収するだけでなく液体を保持することによって、種子を発芽させ苗を育成するに足る水と栄養を供給する、という機能を有する。図１に、一例を示す。土嚢本体０１０１は、略直方体の形状を有する。各辺に備えられているものは外套０１０２である。ここで、前記土嚢本体の形状は、直方体である必要はなく、一辺を縫合または接着または溶着または機械的接合などを行った袋状のものであってもよい。また、地盤面に接地する際の形状も円形、楕円形、平行四辺形、ひし形、その他自由な形状であってもよい。
【００５４】
「外套」は、土嚢本体に備えられるものである。図２に外套付土嚢のさまざまな形状例を示す。図２の例では、いずれの場合も外套は土嚢本体の外袋に接して備えられかつ折りたたまれたものが備えられる。図２（Ａ）は、土嚢本体の直方体の各辺に辺を接して外套が備えられたものであり、外套の辺と土嚢本体の辺が同じ長さの外套付土嚢である。外套が土嚢本体と辺を共有する場所は、ひとつは、土嚢の上面の辺であり、いまひとつは土嚢の下面の辺である。このような勾配もつ形状にすることにより、風により巻き込まれた砂が外套の下面に入り込み、これが土嚢を抑える重量となる。また、外套の材料は、強度的に土嚢本体と同じ材料がよい。すなわち、外套の強度が強い場合に、外套付土嚢の外套部と、土嚢本体との強度バランスが取れなくなってしまい、土嚢本体の外袋が破れるなどの損傷を受ける可能性があるために、強度的な配慮をした設計が必要である。図２（Ｂ）の例では、土嚢本体の直方体の各辺に辺を接して外套が備えられているが、土嚢本体の辺よりも辺の長さが小さい外套が備えられる。図２（Ｃ）の例では、土嚢本体の各辺に辺を接して外套が備えられるが、各辺に二つずつ外套が備えられる。図２（Ｄ）の例では、土嚢本体の直方体の各辺に辺を接して外套が備えられているが、折りたたまれた外套の両端部が土嚢本体の外袋の上部側に備えられる。
【００５５】
なお、外套と土嚢本体の固定場所は、さまざまな場所が考えられる。砂を巻き込みやすいように、また、強度を保持しやすいように、接地場所に応じた固定場所が考えられる。一般的には、局所的に土嚢本体に大きな荷重が加わらないように、外套の土嚢本体と辺を共有する部分は、すこし間隔を置いて土嚢に固定されることが望ましい。
【００５６】
≪実施形態２≫
【００５７】
実施形態２は、主に実施形態１を基本として、特徴点は実施形態1における土嚢本体の外袋が液体透過性材料からなる点をあげることができる。
【００５８】
<実施形態２の構成>
図５は実施形態２の土嚢本体の外袋の概念図である。
【００５９】
<全体構成>
【００６０】
実施形態２は、土嚢本体と、外套とからなる外套付土嚢であって、特徴点は実施形態２における土嚢本体の外袋０５０１が液体透過性材料からなる点をあげることができる。
【００６１】
<実施形態２の構成の説明>
【００６２】
土嚢本体、外套、に関しては実施形態１と基本的に機能は共通であるので、詳細な説明は省略する。
【００６３】
「外袋」は、土嚢本体の内容物を収める袋のことである。この外袋は、液体透過性の材料である液体透過性材料からなる。
【００６４】
「液体透過性材料」とは、外袋を通じて土嚢本体に液体が自由に透過できる機能を有する。この材料は、液体は透過するが土嚢本体の内容物は透過しない材料であることが望ましい。外袋の材料には液体を通すための小径の穴が多数開いている。この透過部は穴であってもよいし、布を粗く編み上げたことによって得られる透過部であってもよい。穴の形状は、円形であっても正方形もしくは長方形その他、形状は自由である。
【００６５】
土嚢本体の外袋を液体透過性材料にすることによって、土嚢本体の内容物が雨水や散水による液体を土嚢本体の外袋を介して吸収することが可能となる。
【００６６】
≪実施形態３≫
【００６７】
実施形態３は、実施形態２を基本として、特徴点は実施形態２における液体透過性材料は植物性繊維を織ったものである点をあげることができる。
【００６８】
<実施形態３の構成>
図６は液体透過性材料として用いる織り方を示す概念図である。
【００６９】
<全体構成>
【００７０】
実施形態３は、土嚢本体と、外套とからなり、前記土嚢本体の外袋が液体透過性材料からなる外套付土嚢であって、特徴点は液体透過性材料は植物性繊維を織ったもの０６０１である点をあげることができる。
【００７１】
<実施形態３の構成の説明>
【００７２】
土嚢本体、外套、液体透過材料に関しては実施形態１から２と基本的に機能は共通であるので、詳細な説明は省略する。
【００７３】
「植物性繊維を織ったもの」とは、植物性の繊維の織物であることをいう。植物性の繊維の織物は、液体透過性の機能を有している。さらに、前記植物性の織物は、吸湿性、通気性、透水性、対環境性など種子が発芽し苗が生育する苗床に必要な機能を有するものである。植物性繊維には、麻などが用いられる。化学繊維ではこれらの機能を同時に有する繊維は得がたい。図６の（Ａ）および図６の（Ｂ）には植物性繊維の織り方の一例を示す。各々は、織り方の方向が異なる場合であるがこの方向性は一例に過ぎない。また、織り方については、前記透水性、耐久性、吸湿性、通気性、対環境性などを満足するものであれば、どのようなものでもよい。
【００７４】
≪実施形態４≫
【００７５】
実施形態４は、実施形態３を基本として、特徴点は実施形態３における液体透過性材料の植物性繊維の織り粗さが２〜４ミリメートルピッチ０７０２であり、植物性繊維の幅０７０３は０．５から３ミリメートルである点をあげることができる。
【００７６】
<実施形態４の構成>
図７は実施形態４の液体透過性材料を示す図である。
【００７７】
<全体構成>
【００７８】
実施形態４は、土嚢本体と、外套とからなり、前記土嚢本体の外袋が液体透過性材料からなり、さらに前記液体透過性材料は植物性繊維を織ったものである外套付土嚢であって、特徴点は前記液体透過性材料の植物性繊維の織り粗さが、２〜４ミリメートルピッチであり植物繊維の幅は０．５から３ミリメートルである点をあげることができる。
【００７９】
<実施形態４の構成の説明>
【００８０】
土嚢本体、外套、液体透過材料、植物性繊維を織ったもの、に関しては実施形態１から３と基本的に機能は共通であるので、詳細な説明は省略する。
【００８１】
「植物性繊維の織り粗さ」は、植物性繊維が織られるときの織り粗さである。織り粗さとは、植物性繊維の織られる間隔と植物性繊維の繊維幅で決まる量である。植物性の繊維の織り粗さは、前記液体透過性材料としての機能を発揮するにあたって重要な因子であり、この織り粗さが２から４ミリメートルピッチで、かつ植物性繊維の繊維幅は０．５から３ミリメートルが最適な繊維幅である。図７にこの寸法関係の具体例を示す。繊維の織を拡大する部分０７０１をより拡大してみた場合、二本の繊維の間隔０７０２が２から４ミリメートル。植物性繊維の繊維幅０７０３が０．５から３ミリメートルである。
【００８２】
≪実施形態５≫
【００８３】
実施形態５は、主に実施形態１から４を基本とし、特徴点は、前記土嚢本体の内容物が乾燥した植物の茎をほぐして４センチメートルから５センチメートルの棒状様に切断したものである点をあげることができる。
【００８４】
<実施形態５の構成>
図８は実施形態５の土嚢本体の内容物である植物の茎の代表的形状を示す図である。
【００８５】
<全体構成>
【００８６】
実施形態５は、土嚢本体と、外套とからなり、前記土嚢本体の外袋が液体透過性材料からなり、さらに前記液体透過性材料は植物性繊維を織ったものであり、前記液体透過性材料の植物性繊維の織り粗さが２〜４ミリメートルピッチである外套付土嚢であって、特徴点は、前記土嚢本体の内容物が乾燥した植物の茎０８０１を４センチメートルから５センチメートルの棒状様に切断し、ほぐしたものである点をあげることができる。
【００８７】
<実施形態５の構成の説明>
【００８８】
土嚢本体、外套、液体透過性材料、植物性繊維を織ったもの、植物性繊維の織り粗さ、に関しては実施形態１から４と基本的に機能は共通であるので、詳細な説明は省略する。
【００８９】
「土嚢本体の内容物」とは、乾燥した植物の茎などをほぐして４センチメートルから５センチメートルの棒状様に切断したものである。この内容物は、土嚢本体が外袋から透過した液体を土嚢本体に保持する機能を有する。図８に内容物のぼくされる前の形状の一例を示す。乾燥した植物の茎が４センチメートルから５センチメートルの棒状様に切断される。その後、これをほぐすことによって、茎が植物性繊維に分割され断面積の小さな繊維が折り重なった綿状となる。
【００９０】
また、この乾燥した植物の茎は一例として、稲藁や麦藁、あるいは玉蜀黍・高梁の茎などが用いられる。
【００９１】
≪実施形態６≫
【００９２】
実施形態６は、主に実施形態５を基本として、特徴点は実施形態５における土嚢本体の内容物が、さらに腐葉土と化学肥料を加えてなる点をあげることができる。
【００９３】
<実施形態６の構成>
【００９４】
<全体構成>
【００９５】
実施形態６は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものである外套付土嚢であって、特徴点はさらに腐葉土と化学肥料を加えてなる点をあげることができる。
【００９６】
<実施形態６の構成の説明>
【００９７】
土嚢本体、外套、液体透過性材料、に関しては実施形態１から５と基本的に機能は共通であるので、詳細な説明は省略する。
【００９８】
「土嚢本体の内容物」とは、乾燥した植物の茎などをほぐして４センチメートルから５センチメートルの棒状様に切断したものに、さらに、腐葉土と化学肥料を加えてなる土嚢本体の内容物である。腐葉土と化学肥料は、前記外套付土嚢が苗床としての機能を補強するという機能を有する。
【００９９】
これによって、腐葉土および化学肥料は、前記外套付土嚢に埋め込まれた種子の発芽および苗の育成に必要な栄養を補給する。
【０１００】
≪実施形態７≫
【０１０１】
実施形態７は、主に実施形態５または６を基本として、特徴点は実施形態５における土嚢本体の内容物が、水を吸収する後では吸収前の体積に比べて体積が増加してゲル化する材料がさらに付加される点をあげることができる。
【０１０２】
<実施形態７の構成>
図９は、土嚢本体が水分を吸収して膨張する前後における土嚢本体の部分断面の概念図である。
【０１０３】
<全体構成>
【０１０４】
実施形態７は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものである外套付土嚢であって、特徴点は水を吸収する後では吸収前の体積に比べて体積が増加してゲル化する材料がさらに付加される点をあげることができる。
【０１０５】
<実施形態７の構成の説明>
【０１０６】
土嚢本体、外套、液体透過性材料、に関しては実施形態５と基本的に機能は共通であるので、詳細な説明は省略する。
【０１０７】
「土嚢本体の内容物」における「ゲル化する材料」とは、水を吸収する後では吸収前の体積に比べて体積が増加する材料である。水を吸収する後では吸収前の体積に比べて体積が増加してゲル化する材料は、苗床に必要な水分を保持するという機能を有する。図９（Ａ）、図９（Ｂ）には、水を吸収した後にゲル化する材料を用いることに、土嚢本体の体積が増加した状態の断面図を示す。多糖類としては、例えば、でんぷん、グリコーゲン、セルロース、イヌリン、マンナン、寒天、グルコマンナンなどがあげられる。また、このゲル化する材料と、ほぐされた植物性繊維は絡み合い、ゲル化する材料を補強することとなる。ゲル化する材料が植物性繊維によって補強され、一体性を保つことができる。これは、ゲル化した材料が途中でくずれにくくなるために、ゲル化した材料の表面積が小さくなり、水分の蒸発面積が小さくなる、ということにつながる。
【０１０８】
これによって、種子の発芽および苗の育成に必要な水分を確保することができ、乾燥地帯でもっとも困難な水分を確保することができる。
【０１０９】
≪実施形態８≫
【０１１０】
実施形態８は、主に実施形態７を基本とし、特徴点は実施形態７おけるゲル化する材料が、高温における保水性に優れている点をあげることができる。
【０１１１】
<実施形態８の構成>
【０１１２】
<全体構成>
【０１１３】
実施形態８は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加される外套付土嚢であって、特徴点はゲル化する材料が４０度摂氏における高温な状態において、１０日近くの保水性を有する点をあげることができる。一例として、寒天の粉末などがこの用途に用いられる。
【０１１４】
<実施形態８の構成の説明>
【０１１５】
土嚢本体、外套、液体透過性材料、ゲル化する材料に関しては実施形態１および実施形態７と基本的に機能は共通であるので、詳細な説明は省略する。
【０１１６】
「高温における保水性」とは、前記ゲル化する材料が高温における保水性に優れていることである。砂漠などの高温乾燥地域において、保水する機能である。これによって、砂漠などの緑化にこの外套付土嚢を用いることができる。
【０１１７】
≪実施形態９≫
【０１１８】
実施形態９は、主に実施形態７および実施形態８を基本として、特徴点は実施形態７におけるゲル化する材料は多糖類の粉末である点である。
【０１１９】
<実施形態９の構成>
【０１２０】
<全体構成>
【０１２１】
実施形態９は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加される外套付土嚢であって、特徴点はゲル化する材料は多糖類の粉末である点である。
【０１２２】
<実施形態９の構成の説明>
【０１２３】
土嚢本体、外套、液体透過性材料、土嚢本体の内容物、ゲル化する材料に関しては実施形態１および実施形態２、実施形態７と基本的に機能は共通であるので、詳細な説明は省略する。
【０１２４】
「多糖類の粉末」は、ゲル化する材料である。前記多糖類の粉末は、吸水後に膨張すること、高温における保水性という機能を有する。砂漠などの高温乾燥地域において、保水する機能である。これによって、砂漠などの緑化にこの外套付土嚢を用いることができる。
【０１２５】
≪実施形態１０≫
【０１２６】
実施形態１０は、主に実施形態７から９を基本として、特徴点は実施形態中における多糖類がマンナンである点である。
【０１２７】
<実施形態１０の構成>
【０１２８】
<全体構成>
【０１２９】
実施形態１０は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料として多糖類がさらに付加される外套付土嚢であって、特徴点は多糖類がマンナンである点である。
【０１３０】
<実施形態１０の構成の説明>
【０１３１】
土嚢本体、外套、液体透過性材料、土嚢本体の内容物、ゲル化する材料に関しては実施形態１および実施形態２、実施形態７と基本的に機能は共通であるので、詳細な説明は省略する。
【０１３２】
「マンナン」は、多糖類のひとつの種類である。吸水後に膨張すること、高温における保水性という機能を有する。砂漠などの高温乾燥地域において、保水する機能である。これによって、砂漠などの緑化にこの外套付土嚢を用いることができる。
【０１３３】
≪実施形態１１≫
【０１３４】
実施形態１１は、主に実施形態７から９を基本として、特徴点は実施形態７において土嚢本体の内容物は、さらに重量を増すために密度の大きい粉体を加えてなる点である。
【０１３５】
<実施形態１１の構成>
【０１３６】
<全体構成>
【０１３７】
実施形態１１は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加される外套付土嚢であって、特徴点はさらに重量を増すために密度の大きい粉体を加えてなる点である。
【０１３８】
<実施形態１１の構成の説明>
【０１３９】
土嚢本体、外套、液体透過性材料、土嚢本体の内容物、ゲル化する材料に関しては実施形態１および実施形態２、実施形態７と基本的に機能は共通であるので、詳細な説明は省略する。
【０１４０】
「密度の大きい粉体」は、外套付土嚢の重量を増すために加える密度の大きい粉体である。密度の大きな粉体を土嚢本体の内容物に追加することによって風に対する抵抗力を付加するという機能を有する。砂漠などで砂嵐などがあり風の強い地域において、重量が大きいことは、苗が生える地盤を形成しやすくなる、という利点があげられる。ここで密度の大きい粉体とは、高炉スラグ粉、転炉スラグ粉、鉄粉、酸化鉄粉などがあげられる。
【０１４１】
≪実施形態１２≫
【０１４２】
実施形態１２は、主に実施形態１１を基本として、特徴点は前記実施形態１１における密度の大きい粉体が石粉である点である。
【０１４３】
<実施形態１２の構成>
【０１４４】
<全体構成>
【０１４５】
実施形態１２は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなる外套付土嚢であって、特徴点は密度の大きい粉体が石粉である点である。
【０１４６】
<実施形態１２の構成の説明>
【０１４７】
土嚢本体、外套、液体透過性材料、土嚢本体の内容物、ゲル化する材料に関しては実施形態１および実施形態２、実施形態７と基本的に機能は共通であるので、詳細な説明は省略する。
【０１４８】
「石粉」とは、外套付土嚢の重量を増すために加える密度の大きい粉体のひとつである。石粉を土嚢本体の内容物に追加することによって風に対する抵抗力を付加するという機能を有する。
【０１４９】
砂漠などで砂嵐などがあり風の強い地域において、重量が大きいことは、苗が生える地盤を形成するという利点があげられる。
【０１５０】
≪実施形態１３≫
図１０は、実施形態１３における接地面が長方形または正方形の土嚢本体の概念図である。
【０１５１】
実施形態１３は、主に実施形態１１および実施形態１２を基本として、特徴点は前記実施形態１１における土嚢本体を地面上に設置した際の接地面形状が長方形又は、正方形である点である。
【０１５２】
<実施形態１３の構成>
【０１５３】
<全体構成>
【０１５４】
実施形態１３は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなる外套付土嚢であって、特徴点は土嚢本体を地面上に設置した際の接地面形状が長方形１００１又は、正方形１００２である点である。
【０１５５】
<実施形態１３の構成の説明>
【０１５６】
土嚢本体、外套、液体透過性材料、土嚢本体の内容物、ゲル化する材料、密度の大きな粉体に関しては実施形態１および実施形態２、実施形態７と基本的に機能は共通であるので、詳細な説明は省略する。
【０１５７】
「接地面形状」とは、外套付土嚢の土嚢本体が地盤面と接する部分の形状のことである。
【０１５８】
「接地面形状が長方形または正方形である」とは、前記接地面形状が長方形または正方形であることを意味する。接地面形状が長方形または正方形であることによって、外套付土嚢の整列が容易となる。接地面形状が長方形の場合には、例えば、一例として、長方形の長辺は６０センチメートル、短辺は４０センチメートルの大きさとなる。また、厚みは４センチメートル前後の大きさとなる。
【０１５９】
≪実施形態１４≫
図１１は、実施形態１４における外套が備えられた土嚢本体の概念図である。
【０１６０】
実施形態１４は、主に実施形態１３を基本として、特徴点は実施形態１３における外套は前記土嚢本体の接地面にて長方形又は、正方形を形成する各辺の全部又は一部を共有して備えられる点である。
【０１６１】
<実施形態１４の構成>
【０１６２】
<全体構成>
【０１６３】
実施形態１４は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなり、土嚢本体を地面上に設置した際の接地面形状が長方形又は、正方形である外套付土嚢であって、特徴点は前記外套１１０２は前記土嚢本体１１０１の接地面にて長方形１１０１又は、正方形１１０３を形成する各辺の全部又は一部を共有して備えられる点である。
【０１６４】
<実施形態１４の構成の説明>
【０１６５】
土嚢本体、外套、液体透過性材料、土嚢本体の内容物、ゲル化する材料、密度の大きな粉体に関しては実施形態１および実施形態２、実施形態７と基本的に機能は共通であるので、詳細な説明は省略する。
【０１６６】
前記「外套」は前記土嚢本体の接地面にて長方形又は正方形を形成する各辺の全部又は一部を共有して備えられる。これによって、土嚢本体と外套が共有する辺が直線になるために、外套を取り付けやすくなるという外套付土嚢の生産性の機能が付加される。
【０１６７】
≪実施形態１５≫
図１２は、実施形態１５の概念図である。
【０１６８】
実施形態１５は、主に実施形態１４を基本として、特徴点は実施形態１４における前記外套は前記土嚢本体の接地面にて相対する辺を共有する外套が同じ形状であり、さらに土嚢本体の辺と平行な一辺を有する点である。
【０１６９】
<実施形態１５の構成>
【０１７０】
<全体構成>
【０１７１】
実施形態１５は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなり、土嚢本体を地面上に設置した際の接地面形状が長方形又は、正方形である外套付土嚢であって、特徴点は前記外套は前記土嚢本体の接地面にて相対する辺を共有する外套が同じ形状であり、さらに土嚢本体の辺と平行な一辺を有する点である。
【０１７２】
<実施形態１５の構成の説明>
【０１７３】
土嚢本体、外套、液体透過性材料、土嚢本体の内容物、ゲル化する材料、密度の大きな粉体に関しては実施形態１および実施形態２、実施形態７と基本的に機能は共通であるので、詳細な説明は省略する。
【０１７４】
「接地面にて相対する辺」とは、接地面における形状が長方形又は正方形の形状である土嚢本体の相対する平行な辺の組のことを指し示す。たとえば、辺１２０１と辺１２０２からなる組および、辺１２０３と辺１２０４からなる組である。このような接地面にて相対する辺を共有する外套の張り出し長さ１２０５が相対する辺について同じであれば、図３、図４に示すような配列を可能となす。隣接する辺の外套の形状は、同じであってもよく、これによって、より少ない外套の型によって外套付土嚢を生産することができる。
【０１７５】
≪実施形態１６≫
図１３は、実施形態１６を表す概念図である。
【０１７６】
実施形態１６は、主に実施形態１５を基本として、特徴点は実施形態１５における前記外套は長方形又は正方形の形状である点である。
【０１７７】
<実施形態１６の構成>
図１４は、実施形態１６を表す概念図である。
【０１７８】
<全体構成>
【０１７９】
実施形態１６は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなり、土嚢本体を地面上に設置した際の接地面形状が長方形又は、正方形であり、前記外套は、前記土嚢本体の接地面にて相対する辺を共有する外套が同じ形状であり、さらに土嚢本体の辺と平行な一辺を有する外套付土嚢であって、特徴点は前記外套は長方形又は正方形の形状である点である。
【０１８０】
<実施形態１６の構成の説明>
【０１８１】
土嚢本体、外套、液体透過性材料、土嚢本体の内容物、ゲル化する材料、密度の大きな粉体、外套に関しては実施形態１および実施形態２、実施形態１５と基本的に機能は共通であるので、詳細な説明は省略する。
【０１８２】
外套１３０１の形状が長方形もしくは正方形であることによって、外套を介しての紐と土嚢本体の間での荷重の伝達において、外套内における面内応力が一様になるために、力学的な弱点を克服するという機能が付与される。
【０１８３】
≪実施形態１７≫
図１４は、実施形態１７に対応する概念図である。
【０１８４】
実施形態１７は、主に実施形態１３から１７を基本として、特徴点は実施形態１３における前記土嚢本体には土嚢接地面に対して杭を打つための貫通穴が設けられている点である。
【０１８５】
<実施形態１７の構成>
【０１８６】
<全体構成>
【０１８７】
実施形態１７は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなり、土嚢本体を地面上に設置した際の接地面形状が長方形又は、正方形である外套付土嚢であって、特徴点は前記土嚢本体には土嚢接地面に対して杭を打つための貫通穴１４０１が設けられている点である。
【０１８８】
<実施形態１７の構成の説明>
【０１８９】
土嚢本体、外套、液体透過性材料、土嚢本体の内容物、ゲル化する材料、密度の大きな粉体、外套に関しては実施形態１および実施形態２、実施形態１３と基本的に機能は共通であるので、詳細な説明は省略する。
【０１９０】
本実施形態は、前記土嚢本体の土嚢接地面に対して杭を打つための貫通穴が設けられており、この貫通穴より小さな穴径の杭が地盤面に打たれ、貫通穴を用いて土嚢が杭に固定されることによって、土嚢の移動する力が自身の摩擦力と杭のせん断抵抗力によって、土嚢本体のみよりも大きな外力が加わらなければ外套付土嚢は移動しない。予め貫通穴を設けておくことによって、土嚢を破壊することなく杭を打つことができるという機能が外套付土嚢に付与される。杭としては、たとえば、使い古された単管足場に用いられる単管をなどをリサイクルを考慮して杭として代用することが考えられる。この単管の径は、例えば、約４．３センチメートルであるために、貫通穴径は一例として２ミリメートルの余裕しろを考えて、４．５センチメートルの穴径にすれば良い。単管足場の場合は、砂に打ち込んだときに、中空断面であるために、断面積が小さく、打ち込みに要する力は小さくて済む一方で、外力に対するせん断耐力は外径で決まるために、合理的形状と言える。さらに、打ち込み深さについては、風食の程度によるが、砂が飛び去ることが考えられるために、できるだけ深く打ち込む必要があり、一例として1メートル近くの深さまで打ち込む必要性があると考えられる。
【０１９１】
≪実施形態１８≫
図１５は、実施形態１８を表す概念図である。
【０１９２】
実施形態１８は、主に実施形態１３から１７を基本としており、特徴点は実施形態１３における前記外套には、土嚢接地面に対して杭を打つための貫通穴１５０１が設けられている点である。
【０１９３】
<実施形態１８の構成>
【０１９４】
<全体構成>
【０１９５】
実施形態１８は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなり、土嚢本体を地面上に設置した際の接地面形状が長方形又は、正方形である外套付土嚢であって、特徴点は前記外套には、土嚢接地面に対して杭を打つための貫通穴が設けられている点である。
【０１９６】
<実施形態１８の構成の説明>
【０１９７】
土嚢本体、外套、液体透過性材料、土嚢本体の内容物、ゲル化する材料、密度の大きな粉体、外套に関しては実施形態１および実施形態２、実施形態１３と基本的に機能は共通であるので、詳細な説明は省略する。
【０１９８】
本実施形態は、前記外套には、土嚢接地面に対して杭を打つための貫通穴が設けられていることを特徴とする。この貫通穴より小さな穴径の杭が地盤面に打たれ、貫通穴を用いて土嚢が杭に固定されることによって、土嚢の移動する力が自身の摩擦力と杭のせん断抵抗力によって、土嚢本体のみよりも大きな外力が加わらなければ外套付土嚢は移動しない。予め貫通穴を設けておくことによって、土嚢を破壊することなく杭を打つことができるという機能が外套付土嚢に付与される。
【０１９９】
≪実施形態１９≫
図３と図４と図１６は、実施形態１９を表す概念図である。
【０２００】
実施形態１９は、主に実施形態１３から１８を基本として、特徴点は実施形態１３の前記外套には、紐を通すための紐穴がもうけられている点である。
【０２０１】
<実施形態１９の構成>
【０２０２】
<全体構成>
【０２０３】
実施形態１９は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなる外套付土嚢であって、特徴点は前記外套には、紐を通すための紐穴１６０１がもうけられている点である。
【０２０４】
<実施形態１９の構成の説明>
【０２０５】
土嚢本体、外套、液体透過性材料、土嚢本体の内容物、ゲル化する材料、密度の大きな粉体、に関しては実施形態１および実施形態２、実施形態１３と基本的に機能は共通であるので、詳細な説明は省略する。
【０２０６】
本実施形態は、前記外套には、紐を通すための紐穴１６０１がもうけられていることを特徴とする。図３を用いて紐穴のある外套付土嚢を用いて、外套付土嚢がレイアウトされる様子を示す。前記外套０３０２は、土嚢０３０１同士が紐０３０３を用いて互いに連結しあい、全体０３０５として一体化して、地盤面に固定する機能を有する。紐を通じて相互に連結しあう。また、この紐の端部は杭０３０４に接合されることによって、より強固に地盤面に定着される。土嚢の形状が変わると、土嚢をより密実に配置することが可能になる。図４は、図３のほぼ二倍の土嚢を固定することができる。外套の形状と取り付け位置などによって、このような異なるレイアウトの選択が可能になる。
【０２０７】
以上によって、風などの外力によって吹き飛ばされることなく土嚢同士が紐を用いて互いに連結しあい、全体として一体化して、地盤面に固定されるという機能が満足される。
【０２０８】
≪実施形態２０≫
図１７は、実施形態２０を表す概念図である。
【０２０９】
実施形態２０は、主に実施形態１３から１９を基本として、特徴点は実施形態１３の前記外套には、紐がその一部で固定されている点である。
【０２１０】
<実施形態２０の構成>
【０２１１】
<全体構成>
【０２１２】
実施形態２０は、土嚢本体と、外套とからなり、前記土嚢本体の外袋が液体透過性材料からなり、前記土嚢本体の内容物が乾燥した植物の茎をほぐして４センチメートルから５センチメートルの棒状様に切断したものであり、水を吸収する後では吸収前の体積に比べて体積が増加してゲル化する材料がさらに付加され、さらに重量を増すために密度の大きい粉体を加えてなる外套付土嚢であって、特徴点は前記外套には、紐がその一部で固定されている点である。
【０２１３】
<実施形態２０の構成の説明>
【０２１４】
土嚢本体、外套、液体透過性材料、土嚢本体の内容物、ゲル化する材料、密度の大きな粉体、に関しては実施形態１および実施形態２、実施形態１３と基本的に機能は共通であるので、詳細な説明は省略する。
【０２１５】
本実施形態は、前記外套には、前記外套には、紐１７０１がその一部で固定されている点である。ことを特徴とする。この固定によって、複数の外套つき土嚢が相互に結合され一体化される。また、固定されるとは、一例として、接着、溶着、縫合、溶接、編みこみ、などの場合が考えられる。図３、図４は、このようにして得られた配列の一例である。この一体化によって、風圧力などの力に対しての抵抗力を増すという機能が付与される。
【０２１６】
尚、本発明の外套付土嚢は、上記した実施の形態に限定されるものではなく、本発明の要旨を逸脱しない範囲内において種々変更を加え得ることは勿論である。
【図面の簡単な説明】
【０２１７】
【図１】外套付土嚢の概念図
【図２】外套形状別の外套付土嚢の概念図
【図３】外套付土嚢の疎なレイアウト図
【図４】外套付土嚢の密なレイアウト図
【図５】土嚢本体の外袋の概念図
【図６】植物性繊維の織り方の概念図
【図７】植物性繊維を用いた織りにおける繊維の間隔と、繊維の幅を示す概念図
【図８】植物の茎を数センチに切断した概念図
【図９】水分を吸収する前（Ａ）と吸収した後（Ｂ）での土嚢本体の膨張の概念図
【図１０】接地面が長方形または正方形の土嚢本体の概念図
【図１１】外套が備えられた土嚢本体の概念図
【図１２】外套が任意形状であるレイアウト配置用の外套付土嚢の概念図
【図１３】外套が長方形もしくは正方形である場合のレイアウト配置用の外套付土嚢の概念図
【図１４】土嚢本体に杭を打つ貫通穴を有する外套付土嚢の概念図
【図１５】外套に杭を打つ貫通穴を有する外套付土嚢の概念図
【図１６】外套に紐を通す紐穴を有する外套付土嚢の概念図
【図１７】外套に紐が固定されている外套付土嚢の概念図
【符号の説明】
【０２１８】
０１０１  土嚢本体
０１０２  外套
０１０３  外套付土嚢本体
【図１】
2005058117.tif 000003
【図２】
2005058117.tif 000004
【図３】
2005058117.tif 000005
【図４】
2005058117.tif 000006
【図５】
2005058117.tif 000007
【図６】
2005058117.tif 000008
【図７】
2005058117.tif 000009
【図８】
2005058117.tif 000010
【図９】
2005058117.tif 000011
【図１０】
2005058117.tif 000012
【図１１】
2005058117.tif 000013
【図１２】
2005058117.tif 000014
【図１３】
2005058117.tif 000015
【図１４】
2005058117.tif 000016
【図１５】
2005058117.tif 000017
【図１６】
2005058117.tif 000018
【図１７】
2005058117.tif 000019